(57)【要約】【課題】  ＬＵＴにおけるある設定点が同軸上の他の設定点の傾向と明らかに異なる傾向を示している場合に、異なる傾向を示す設定点を確実に見つけ出してその設定値を補正し、最適な色変換が行えるようにする。さらに、作業者の作業経験に関係なく、自動的にデータの区分ができるようにして、効率的に作業を実行できるようにする。【解決手段】  色変換処理用ルックアップテーブルＡから入力カラーデータと出力カラーデータを読み込んで、入力カラーデータの明度順に、対応する出力カラーデータを配列する。そして、入力カラーデータの両端のデータを基点として明度方向に順次データ数を増やして算出された基準化残差が連続して特異値を示したことに基づいてデータを区分し、区分されたデータ毎に回帰分析による関係式を作成し、該関係式に前記入力カラーデータを代入して算出した予測値に基づいて色変換処理用ルックアップテーブルＢに補正する。【選択図】      図１
2006129258.tif 000002
【特許請求の範囲】
【請求項１】
色変換処理用ルックアップテーブルから入力カラーデータと出力カラーデータを読み込む工程と、前記入力カラーデータの明度順に、対応する出力カラーデータを配列し、入力カラーデータの両端のデータを基点として明度方向に順次データ数を増やして算出された基準化残差が連続して特異値を示したことに基づいてデータを区分する工程と、前記入力カラーデータと出力カラーデータとに基づいて、前記区分されたデータ毎に回帰分析による関係式を作成する工程と、該関係式に前記入力カラーデータを代入して予測値を算出する工程と、該予測値に基づいて前記色変換処理用ルックアップテーブルを補正する工程とを具えたことを特徴とする色変換処理用ルックアップテーブル補正方法。
【請求項２】
色変換処理用ルックアップテーブルから入力カラーデータと出力カラーデータを読み込む工程と、前記入力カラーデータの明度順に、対応する出力カラーデータを配列し、入力カラーデータの両端のデータを基点として明度方向に順次データ数を増やして作成された回帰式の係数が特異値を示したことに基づいてデータを区分する工程と、前記入力カラーデータと出力カラーデータとに基づいて、前記区分されたデータ毎に回帰分析による関係式を作成する工程と、該関係式に前記入力カラーデータを代入して予測値を算出する工程と、該予測値に基づいて前記色変換処理用ルックアップテーブルを補正する工程とを具えたことを特徴とする色変換処理用ルックアップテーブル補正方法。
【請求項３】
前記色変換処理用ルックアップテーブルから無彩色軸上にある入力カラーデータと出力カラーデータを読み込んで無彩色のデータのみを処理することを特徴とする請求項１又は２に記載の色変換処理用ルックアップテーブル補正方法。
【請求項４】
前記予測値と、対応する出力カラーデータとの基準化残差が所定値を超えたとき、対応する出力カラーデータの補正を行うことを特徴とする請求項ないし請求項３の何れか１項に記載の色変換処理用ルックアップテーブル補正方法。
【請求項５】
色変換処理用ルックアップテーブルによりＲＧＢ方式の入力カラーデータをＣＭＹＫ方式の出力カラーデータに変換する手段を有する画像形成装置において、
前記色変換処理用ルックアップテーブルから入力カラーデータと出力カラーデータを読み込む手段と、前記入力カラーデータの明度順に、対応する出力カラーデータを配列し、入力カラーデータの両端のデータを基点として明度方向に順次データ数を増やして算出された基準化残差が連続して特異値を示したことに基づいてデータを区分する手段と、前記入力カラーデータと出力カラーデータとに基づいて、前記区分されたデータ毎に回帰分析による関係式を作成する手段と、該関係式に前記入力カラーデータを代入して予測値を算出する手段と、該予測値に基づいて前記色変換処理用ルックアップテーブルを補正する手段とを具えたことを特徴とする画像形成装置。
【請求項６】
色変換処理用ルックアップテーブルによりＲＧＢ方式の入力カラーデータをＣＭＹＫ方式の出力カラーデータに変換する手段を有する画像形成装置において、
前記色変換処理用ルックアップテーブルから入力カラーデータと出力カラーデータを読み込む手段と、前記入力カラーデータの明度順に、対応する出力カラーデータを配列し、入力カラーデータの両端のデータを基点として明度方向に順次データ数を増やして作成された回帰式の係数が特異値を示したことに基づいてデータを区分する手段と、前記入力カラーデータと出力カラーデータとに基づいて、前記区分されたデータ毎に回帰分析による関係式を作成する手段と、該関係式に前記入力カラーデータを代入して予測値を算出する手段と、該予測値に基づいて前記色変換処理用ルックアップテーブルを補正する手段とを具えたことを特徴とする画像形成装置。
【請求項７】
前記色変換処理用ルックアップテーブルから無彩色軸上にある入力カラーデータと出力カラーデータを読み込んで無彩色のデータのみを処理することを特徴とする請求項５又は６に記載の画像形成装置。
【請求項８】
前記予測値と、対応する出力カラーデータとの基準化残差が所定値を超えたとき、対応する出力カラーデータの補正を行うことを特徴とする請求項５ないし請求項７の何れか１項に記載の画像形成装置。
【発明の詳細な説明】
【技術分野】
【０００１】
本発明は、スキャナ等で読み取られたＲＧＢ信号を、カラープリンタ等で取り扱われるＣＭＹＫ信号に変換する際に用いられる色変換処理用ルックアップテーブルを補正するための色変換処理用ルックアップテーブル補正方法及びそれを利用した画像形成装置に関するものである。
【背景技術】
【０００２】
カラーモニタ，カラースキャナ等では、カラー信号としてＲＧＢ信号で出力され、カラープリンタ等では、ＣＭＹＫ信号に基づいて印字出力される。例えば、カラースキャナを使ってカラー画像を読み取り、それをカラープリンタでプリントアウトする場合、カラースキャナではＲＧＢ信号で画像を読み取り、カラープリンタではそれをＣＭＹＫ信号に変換して印刷を行う。その際、ＲＧＢ信号をＣＭＹＫ信号に変換するのに、ルックアップテーブル（以下、「ＬＵＴ」と記載する）が用いられる。
【０００３】
ＬＵＴは、例えば、特許文献１に示されるように、ＲＧＢの８ビットの濃度値を立方体の互いに直交する３軸方向に割り当て、それぞれを等分に複数分割してできる格子点に対してのＣＭＹ値を設定し、テーブル化している。
【０００４】
【特許文献１】特開２００２−２７２７４号公報
【発明の開示】
【発明が解決しようとする課題】
【０００５】
しかしながら、そのようにして試行錯誤を繰り返しながら作成するＬＵＴは、完璧なものとはなりえず、どこかに不満足な部分が残ってしまう。特に、無彩色であるはずの部分に色が乗ってしまうと色変換の不完全さが目立つので、無彩色のＲＧＢ値に対するＣＭＹ値に彩度が乗るのはぜひとも避ける必要があるが、従来の方法で設定したＬＵＴでは、無彩色での設定点が彩度の乗ったＣＭＹ値になることもあり、その格子点に基づいて色変換を行うと、無彩色軸全体が色味を帯びて観察されることがあるという問題点があった。
【０００６】
従来、一度設定が完了したＬＵＴを後で補正する手段はなく、上記のような問題に対しては、ＬＵＴを使用する段階で、適当なデータ処理を施すことにより問題の解決を図っていた。しかしながら、ＬＵＴを使用する段階で、いちいちデータ処理を施すのでは処理装置の負担が大きくなってしまうという問題点があった。
【０００７】
本発明は、そのような問題点に鑑み、ＬＵＴにおける無彩色軸上の、ある設定点が同軸上の他の設定点の傾向と明らかに異なる傾向を示している場合に、異なる傾向を示す設定点を確実に見つけ出してその設定値を補正し、最適な色変換が行えるようにすることを目的とするものである。
【課題を解決するための手段】
【０００８】
前記課題を解決するため、請求項１に記載の色変換処理用ルックアップテーブル補正方法は、色変換処理用ルックアップテーブルから入力カラーデータと出力カラーデータを読み込む工程と、前記入力カラーデータの明度順に、対応する出力カラーデータを配列し、入力カラーデータの両端のデータを基点として明度方向に順次データ数を増やして算出された基準化残差が連続して特異値を示したことに基づいてデータを区分する工程と、前記入力カラーデータと出力カラーデータとに基づいて、前記区分されたデータ毎に回帰分析による関係式を作成する工程と、該関係式に前記入力カラーデータを代入して予測値を算出する工程と、該予測値に基づいて前記色変換処理用ルックアップテーブルを補正する工程とを具えたことを特徴とする。
【０００９】
また、請求項２に記載の色変換処理用ルックアップテーブル補正方法は、色変換処理用ルックアップテーブルから入力カラーデータと出力カラーデータを読み込む工程と、前記入力カラーデータの明度順に、対応する出力カラーデータを配列し、入力カラーデータの両端のデータを基点として明度方向に順次データ数を増やして作成された回帰式の係数が特異値を示したことに基づいてデータを区分する工程と、前記入力カラーデータと出力カラーデータとに基づいて、前記区分されたデータ毎に回帰分析による関係式を作成する工程と、該関係式に前記入力カラーデータを代入して予測値を算出する工程と、該予測値に基づいて前記色変換処理用ルックアップテーブルを補正する工程とを具えたことを特徴とする。
【００１０】
また、請求項３に記載の色変換処理用ルックアップテーブル補正方法は、請求項１又は２に記載の色変換処理用ルックアップテーブル補正方法において、前記色変換処理用ルックアップテーブルから無彩色軸上にある入力カラーデータと出力カラーデータを読み込んで無彩色のデータのみを処理することを特徴とする。
【００１１】
また、請求項４に記載の色変換処理用ルックアップテーブル補正方法は、請求項１ないし請求項３の何れか１項に記載の色変換処理用ルックアップテーブル補正方法において、前記予測値と、対応する出力カラーデータとの基準化残差が所定値を超えたとき、対応する出力カラーデータの補正を行うことを特徴とする。
【００１２】
また、請求項５に記載の画像形成装置は、色変換処理用ルックアップテーブルによりＲＧＢ方式の入力カラーデータをＣＭＹＫ方式の出力カラーデータに変換する手段を有する画像形成装置において、
前記色変換処理用ルックアップテーブルから入力カラーデータと出力カラーデータを読み込む手段と、前記入力カラーデータの明度順に、対応する出力カラーデータを配列し、入力カラーデータの両端のデータを基点として明度方向に順次データ数を増やして算出された基準化残差が連続して特異値を示したことに基づいてデータを区分する手段と、前記入力カラーデータと出力カラーデータとに基づいて、前記区分されたデータ毎に回帰分析による関係式を作成する手段と、該関係式に前記入力カラーデータを代入して予測値を算出する手段と、該予測値に基づいて前記色変換処理用ルックアップテーブルを補正する手段とを具えたことを特徴とする。
【００１３】
また、請求項６に記載の画像形成装置は、色変換処理用ルックアップテーブルによりＲＧＢ方式の入力カラーデータをＣＭＹＫ方式の出力カラーデータに変換する手段を有する画像形成装置において、
前記色変換処理用ルックアップテーブルから入力カラーデータと出力カラーデータを読み込む手段と、前記入力カラーデータの明度順に、対応する出力カラーデータを配列し、入力カラーデータの両端のデータを基点として明度方向に順次データ数を増やして作成された回帰式の係数が特異値を示したことに基づいてデータを区分する手段と、前記入力カラーデータと出力カラーデータとに基づいて、前記区分されたデータ毎に回帰分析による関係式を作成する手段と、該関係式に前記入力カラーデータを代入して予測値を算出する手段と、該予測値に基づいて前記色変換処理用ルックアップテーブルを補正する手段とを具えたことを特徴とする。
【００１４】
また、請求項７に記載の画像形成装置は、請求項５又は請求項６に記載の画像形成装置において、前記色変換処理用ルックアップテーブルから無彩色軸上にある入力カラーデータと出力カラーデータを読み込んで無彩色のデータのみを処理することを特徴とする。
【００１５】
また、請求項８に記載の画像形成装置は、請求項５ないし請求項７の何れか１項に記載の画像形成装置において、前記予測値と、対応する出力カラーデータとの基準化残差が所定値を超えたとき、対応する出力カラーデータの補正を行うことを特徴とする。
【発明の効果】
【００１６】
本発明の色変換処理用ルックアップテーブル補正方法は、次のような効果を奏する。すなわち、請求項１に記載の色変換処理用ルックアップテーブル補正方法は、色変換処理用ルックアップテーブルから入力カラーデータと出力カラーデータを読み込んで、入力カラーデータの明度順に、対応する出力カラーデータを配列し、入力カラーデータの両端のデータを基点として明度方向に順次データ数を増やして算出された基準化残差が連続して特異値を示したことに基づいてデータを区分し、区分されたデータ毎に回帰分析による関係式を作成し、該関係式に前記入力カラーデータを代入して算出した予測値に基づいて色変換処理用ルックアップテーブルを補正するようにした。その結果、ＬＵＴにおけるある設定点が同軸上の他の設定点の傾向と明らかに異なる傾向を示している場合に、異なる傾向を示す設定点を確実に見つけ出してその設定値を補正し、最適な色変換が行えるようになる。さらに、作業者の作業経験に関係なく、自動的にデータの区分ができるので、効率的に作業を実行することができる。
【００１７】
また、請求項２に記載の色変換処理用ルックアップテーブル補正方法は、入力カラーデータの明度順に、対応する出力カラーデータを配列し、入力カラーデータの両端のデータを基点として明度方向に順次データ数を増やして作成された回帰式の係数が特異値を示したことに基づいてデータを区分するようにした。このようにすることによっても、作業者の作業経験に関係なく、自動的にデータの区分ができ、効率的に作業を実行することができる。
【００１８】
また、請求項３に記載の色変換処理用ルックアップテーブル補正方法は、請求項１又は請求項２の発明において、色変換処理用ルックアップテーブルから無彩色軸上にある入力カラーデータと出力カラーデータを読み込んで無彩色のデータのみを処理するようにしたので、色が乗ってしまうと色変換の不完全さが目立つ無彩色部分を効率的に補正できる。
【００１９】
また、請求項４に記載の色変換処理用ルックアップテーブル補正方法は、請求項１〜請求項３の何れか１項の発明において、前記予測値と、対応する出力カラーデータとの基準化残差に基づいて補正の要否を判断するようにしたので、個々のデータの大小に関係なく、他のデータと異質な傾向を示しているデータを確実に判別できて、ＬＵＴの補正を的確に行うことができる。
【００２０】
また、請求項５に記載の画像形成装置は、色変換処理用ルックアップテーブルから入力カラーデータと出力カラーデータを読み込んで、入力カラーデータの明度順に、対応する出力カラーデータを配列し、入力カラーデータの両端のデータを基点として明度方向に順次データ数を増やして算出された基準化残差が連続して特異値を示したことに基づいてデータを区分し、区分されたデータ毎に回帰分析による関係式を作成し、該関係式に前記入力カラーデータを代入して算出した予測値に基づいて色変換処理用ルックアップテーブルを補正するようにした。その結果、ＬＵＴにおけるある設定点が同軸上の他の設定点の傾向と明らかに異なる傾向を示している場合に、異なる傾向を示す設定点を確実に見つけ出してその設定値を補正し、最適な色変換が行え、さらに、作業者の作業経験に関係なく、自動的にデータの区分ができるので、効率的に作業を実行することができる画像形成装置を提供することができる。
【００２１】
また、請求項６に記載の画像形成装置は、入力カラーデータの明度順に、対応する出力カラーデータを配列し、入力カラーデータの両端のデータを基点として明度方向に順次データ数を増やして作成された回帰式の係数が特異値を示したことに基づいてデータを区分するようにした。このようにしても、作業者の作業経験に関係なく、自動的にデータの区分ができ、効率的に作業を実行することができる画像形成装置を提供することができる。
【００２２】
また、請求項７に記載の画像形成装置は、請求項５又は請求項６の発明において、色変換処理用ルックアップテーブルから無彩色軸上にある入力カラーデータと出力カラーデータを読み込んで無彩色のデータのみを処理するようにしたので、色が乗ってしまうと色変換の不完全さが目立つ無彩色部分を効率的に補正できる画像形成装置を提供することができる。
【００２３】
また、請求項８に記載の画像形成装置は、請求項５〜請求項７の何れか１項の発明において、前記予測値と、対応する出力カラーデータとの基準化残差に基づいて補正の要否を判断するようにしたので、個々のデータの大小に関係なく、他のデータと異質な傾向を示しているデータを確実に判別できて、ＬＵＴの補正を的確に行うことができる画像形成装置を提供することができる。
【発明を実施するための最良の形態】
【００２４】
以下、本発明の実施例を図面に基づいて詳細に説明する。
【実施例１】
【００２５】
図１は、本発明の一実施例を示すシステムブロック図である。このＬＵＴ補正システム１は、例えば、パソコン上で実行される。ＬＵＴ−Ａは、テストパッチ測定によりＣＭＹＫ値を設定した補正前もので、ＬＵＴデータ読込部２は、ＬＵＴ−Ａから、無彩色軸上にある入力カラーデータ（ＲＧＢ値）と出力カラーデータ（ＣＭＹ値）を読み込む。ここで、出力カラーデータとしてＣＭＹＫの中からＫ値を除いているのは、無彩色軸に色味が帯びる原因となるのがＣＭＹ値であり、Ｋ値は関係しないためである。しかし、Ｋ値もＣＭＹ値と同様に取り扱って処理することもできる。
【００２６】
関係式作成部３は、ＬＵＴデータ読込部２からＲＧＢ値とＣＭＹ値を受け取って、それらのデータに基づいて、回帰分析のための関係式を作成する。関係式は、ＲＧＢ値に対するＣＭＹ値の分布状態に応じて、黒色点（ＲＧＢ値＝０，０，０）から白色点（ＲＧＢ値＝２５５，２５５，２５５）までの間で区域を複数に分割し、それぞれの区域毎に作成する。
【００２７】
例えば、図３に示されるように、境界点Ｓ１と境界点Ｓ２で区分けし、黒色点（ＲＧＢ値＝０，０，０）から境界点Ｓ１までの区域Ａ１、境界点Ｓ１から境界点Ｓ２までの区域Ａ２、境界点Ｓ２から白色点（ＲＧＢ値＝２５５，２５５，２５５）までの区域Ａ３に分割し、それぞれの区域毎に関係式を作成する。なお、図３は、ＬＵＴにおけるそれぞれの格子点のＲＧＢ値に対して設定されたＣＭＹ値をプロットしたものである。
【００２８】
図２は、関係式算出部の内部構造を示すブロック図である。関係式割出部３１は、関係式の割り出しを行い、割り出した関係式とＬＵＴデータ読込部２から受け取ったデータとを区分決定部３２に渡す。関係式の割り出しは、次のようにして行う。
【００２９】
まず、ＬＵＴデータ読込部２から受け取ったＲＧＢ値とそれに対応するＣＭＹ値を、黒色点から順に、予め決められた数の設定点（回帰式を作成する必要上、少なくとも３点）のデータを取り出し、回帰分析の手法を使って関係式を作成する。その際、次のような重回帰式、
Ｃ＝βＣ０＋βＣ１×ＲＧＢ＋βＣ２×ＲＧＢ２
Ｍ＝βＭ０＋βＭ１×ＲＧＢ＋βＭ２×ＲＧＢ２
Ｙ＝βＹ０＋βＹ１×ＲＧＢ＋βＹ２×ＲＧＢ２
を適用する。ここで、カラーデータは、無彩色軸上にあるものだけを扱っているため、ＲＧＢ値は、Ｒ＝Ｇ＝Ｂとなり、上記式におけるＲＧＢは、各色共通の値を示している。
【００３０】
関係式は、最小２乗法を用いて、上記式の係数βＣ０，βＣ１，・・・を定めて確定する。すなわち、Ｃ，Ｍ，Ｙそれぞれについて、上記設定点のＣＭＹ値と、上記式にＲＧＢ値を代入して算出される値との差の２乗の合計が最小になるβＣ０，βＣ１，・・・を求めて関係式を確定する。そのようにして決定した関係式を、上記設定点のＲＧＢ値，ＣＭＹ値と共に、区分決定部３２に渡す。
【００３１】
区分決定部３２は、受け取った関係式とデータを使って、データ毎に基準化残差を求め、それを条件判定部３３へ渡す。
【００３２】
基準化残差は、当該データの予測値との差をｘ、差の平均値をμ、差の標準偏差をσとしたとき、基準化残差ｕ＝（ｘ−μ）／σで表される。この基準化残差は、各設定点データの予測値との差の大きさを判定するためのものであるが、そのために基準化残差を用いるのは、バラツキを持っているデータについて、単に数字の大小を比較するだけでは、そのデータが集合の中で異質なデータであるか否か判断できないためである。
【００３３】
条件判定部３３は、区分決定部３２から受け取った基準化残差を明度順に読み取り、その大きさが所定値、例えば、２を超えている点が連続して存在するか否かで、関係式を適用する区域を区分するか否かを決定する。基準化残差が２を超えている点が２点以上連続して存在したら、最初に２を超えた点を境界点Ｓとして決定し、区分決定部３２に通知する。
【００３４】
ここで、基準化残差が２を超えていることの意味を説明する。統計的に、一つの集合の中で、平均から±３σ以内に入るデータは、９９．７％であるといわれている。言い換えると、基準化残差が３以上となるとき、上記差ｘは、９９．７％に含まれない異質な値であるとみなすことができる。そこで、本実施例では、それより条件をやや緩めて、基準化残差が、２以上であれば、そのデータは他のデータと異質なものであるとみなすこととした。
【００３５】
一方、基準化残差が２を超えている点が連続して存在しなかった場合は、区分決定部３２を介して関係式割出部３１に通知する。それを受けた関係式割出部３１は、先に使った設定点に、次の設定点を加えて、再び最小２乗法を用いて関係式を割り出し、該関係式を、各設定点のＲＧＢ値，ＣＭＹ値と共に、区分決定部３２に渡す。区分決定部３２，条件判定部３３は、上記と同様な処理を行って、基準化残差が２を超えている点が２点以上連続して存在するか否かを調べる。以下、関係式割出部３１，区分決定部３２，条件判定部３３は、境界点が決定されるまで、同様な処理を繰り返し実行する。
【００３６】
黒色点から明度が高い方向へ向かう区域の境界点Ｓ１と関係式が決まったら、次は、白色点から明度が低い方向へ向かう区域の境界点Ｓ２と関係式を決定するための処理を、上記の処理と同様に実行する。また、境界点Ｓ１から境界点Ｓ２までの区域についても、境界点Ｓ１又は境界点Ｓ２を基点とし、上記の処理と同様な処理を実行し、中間部に境界点が見つからなかったら、前述した関係式を決定する。
【００３７】
また、上記のようにして決定された境界点Ｓ１と境界点Ｓ２とが、結果的に同じ点になった場合は、その点を境に二つの異なった直線変化を示していることになるので、それぞれの区域において直線回帰式を適用する。さらに、境界点Ｓ１と境界点Ｓ２とを結ぶ直線が、黒色点と白色点とを結ぶ直線上に乗る場合は、一つの直線回帰式を適用する。
【００３８】
以上のようにして、すべての境界点が決まり、区域と各区域に対応した関係式とが決定されたら、区分決定部３２から関係式決定部３４に境界点と関係式を送り、それらは関係式決定部３４から予測値計算部４に送られる。
【００３９】
予測値計算部４は、関係式作成部３で求めた関係式を使って区域内の各点におけるＣＭＹの予測値を計算し、補正処理部５へ渡す。補正処理部５は、予測値計算部４で計算した予測値とＬＵＴで設定された値との間に大きな相違があれば、ＬＵＴ設定値の補正を行う。その際、予測値と設定値との間に大きな相違があるか否かの判定は、前記基準化残差が所定値、例えば、２．５を上回ったか否かで行う。すなわち、基準化残差が２．５以上であれば、そのデータは他のデータと異質なものであるとみなし、補正する必要があると判断することとした。
【００４０】
そのようにして、補正する必要があると判断された場合は、ＬＵＴの設定値と、関係式によって計算された予測値との平均値を算出して補正値とするか、あるいは、設計者の経験に基づいて、ＬＵＴの設定値と、関係式によって計算された予測値とに重み付けをし、それら重み付けをした後の値の平均値を算出して補正値とする。
【００４１】
補正ＬＵＴ作成部６は、補正処理部５から、補正しないデータはＬＵＴ−Ａの設定値をそのまま受け取り、補正するデータは、上記補正値を受け取って、ＬＵＴデータがすべて揃ったところで、ＬＵＴの設定値を入れ替えて、新しいＬＵＴ−Ｂ（補正ＬＵＴ）を作成する。
【実施例２】
【００４２】
上記実施例１では、入力カラーデータの明度順に、対応する出力カラーデータを配列し、入力カラーデータの両端のデータを基点として明度方向に順次データ数を増やして算出された基準化残差が連続して所定値以上を示したことに基づいてデータを区分するようにしたが、この実施例では、明度方向に順次データ数を増やして作成された回帰式の係数が特異値を示したことに基づいてデータを区分する。
【００４３】
すなわち、ＬＵＴデータ読込部２から受け取ったＲＧＢ値とそれに対応するＣＭＹ値を、黒色点から順に、予め決められた数の設定点（回帰式を作成する必要上、少なくとも３点）のデータを取り出し、回帰分析の手法を使って関係式の係数βＣ０，βＣ１，・・・を定めて関係式を作成する。そして、次の設定点を加えて、再び最小２乗法を用いて関係式の係数βＣ０，βＣ１，・・・を割り出し、以下同様に順次設定点を増やして関係式の係数βＣ０，βＣ１，・・・を割り出していく。
【００４４】
そのようにして順次求めた係数βＣ０，βＣ１，・・・に有意差が認められるようになった点を境界点Ｓとしてデータを区分する。その際、有意差があるか否かの判定は、先に示した基準化の手法を使って行う。すなわち、当該係数をβ、係数の平均値をμ、標準偏差をσとしたとき、（β−μ）／σが所定値以内にあるか否かで判定する。そのような処理を、関係式に含まれる全ての係数について行う。
【００４５】
なお、上記実施例１、２では、ＬＵＴ補正システムをパソコン上で実行する場合で説明したが、プリンタ等の画像形成装置に搭載して、画像形成装置内で実行させるようにしてもよい。そのようにすれば、画像形成装置を設置した後でも、必要に応じてＬＵＴの補正ができるようになる。
【００４６】
また、上記実施例１、２では、ＬＵＴの無彩色軸上にあるカラーデータのみを読み込んで処理するようにしたが、本発明は、有彩色軸上にあるカラーデータの補正にも拡張して適用できる。例えば、ＲＧＢの内のＲ軸上のデータを補正する場合は、Ｒの値が２５５であり、ＧとＢの値が等量ずつ段階的に変化する格子点のカラーデータをＬＵＴから読み込んで、ＧＢ値に対するＣＭＹ値の分布について上記と同様な処理を行うことにより実現できる。
【図面の簡単な説明】
【００４７】
【図１】本発明の一実施例を示すシステムブロック図である。
【図２】関係式算出部の内部構造を示すブロック図である。
【図３】ＬＵＴ無彩色軸の入出力カラーデータの関係と予測値曲線を示す図である。
【符号の説明】
【００４８】
Ａ…補正前のＬＵＴ
Ｂ…補正後のＬＵＴ
１…ＬＵＴ補正システム
２…ＬＵＴデータ読込部
３…関係式算出部
４…予測値計算部
５…補正処理部
６…補正ＬＵＴ作成部
３１…関係式割出部
３２…区分決定部
３３…条件判定部
３４…関係式決定部
【図１】
2006129258.tif 000003
【図２】
2006129258.tif 000004
【図３】
2006129258.tif 000005
【手続補正書】
【提出日】平成16年11月2日(2004.11.2)
【手続補正１】
【補正対象書類名】特許請求の範囲
【補正対象項目名】請求項４
【補正方法】変更
【補正の内容】
【請求項４】
前記予測値と、対応する出力カラーデータとの基準化残差が所定値を超えたとき、対応する出力カラーデータの補正を行うことを特徴とする請求項１ないし請求項３の何れか１項に記載の色変換処理用ルックアップテーブル補正方法。